(57)【要約】【課題】従来よりも荷重による変形が起こりにくい筋交い構造体及びそのような筋交い構造体を備える展示台を提供する。【解決手段】板状部材を折り曲げて形成された、折曲部に立体的な凹部１３５、１４５及び凸部１３６、１４６を有する補助部材１３、１４を、互いの凹部と凸部を噛み合わせて接合させることにより、筋交い構造体１２を形成する。これにより、２つの板状部材の接合部分を強固にすることができる。また、それぞれが自立する補助部材１３、１４を組み合わせて構成されているため、組み立て作業が容易である。各補助部材を横方向に移動させて接合させるため、一方の補助部材を他方の上に持ち上げる必要がなく、大型の補助部材であっても容易に組み立て作業を行うことができる。【選択図】図２
2010193976.tif 000002
【特許請求の範囲】
【請求項１】
上面を有する筒状の展示台本体の内部に配置される筋交い構造体であって、
板状部材を折り曲げて形成された、折曲部に凹部及び凸部を有する２つの補助部材から成るとともに、
前記補助部材が、折曲部で互いの凹部と凸部が噛み合うことにより接合されていることを特徴とする筋交い構造体。
【請求項２】
前記凹部が、折曲部の一部に開口を有する板状部材を折り曲げることにより形成されたものであることを特徴とする請求項１に記載の筋交い構造体。
【請求項３】
前記凹部が、折曲部を横断する複数の切り込みを有する板状部材を折り曲げるとともに、該切り込みにより分断された折曲部の一部を押し込むことにより形成されたものであることを特徴とする請求項１に記載の筋交い構造体。
【請求項４】
前記凹部と凸部が折曲部の中心を挟んで対称に且つ折曲部に沿った方向で同じ幅を有するように設けられており、
前記２つの補助部材が同じ形状であり、一方の補助部材が該補助部材の凹部と凸部の位置を相互に入れ替えるために反転していることを特徴とする請求項１〜３のいずれかに記載の筋交い構造体。
【請求項５】
a)上面を有する筒状の展示台本体と、
b)前記展示台本体の内部に配置される請求項１〜４のいずれかに記載の筋交い構造体と、
を備えることを特徴とする展示台。
【発明の詳細な説明】
【技術分野】
【０００１】
本発明は、重量のある商品等を陳列するための組立式の展示台及び展示台を補強するための筋交い構造体に関する。
【背景技術】
【０００２】
店頭においては、新しく発売された商品や販売を強化したい商品等は、厚紙や段ボール等から構成された展示台を用いて、他の類似商品から区別した状態で陳列されることが多い。このような展示台のうち、重量のある商品を陳列するためのものには、通常、図９に示すように、展示台５０における商品を載置するための天板５１の下に十字状の筋交い構造体５２が設けられている（特許文献１参照）。
【０００３】
図１０に従来の筋交い構造体５２の分解図を示す。従来の筋交い構造体５２は、所定のスリット５３１、５４１を有する２枚の平板５３、５４から成り、一方の平板のスリットを他方の平板のスリットに押し込むことによって形成されている。
【先行技術文献】
【特許文献】
【０００４】
【特許文献１】特開2000-83777号公報
【発明の概要】
【発明が解決しようとする課題】
【０００５】
従来の展示台５０では、天板５１に載置された商品の荷重は筋交い構造体５２によって支持される。しかし、購買者が一旦手に取った商品を再び天板５１に載せたり展示台５０を組み立てた状態のまま移動させたりすると、筋交い構造体５２の上端や下端に瞬間的に大きな力や横方向からの力が作用し、各平板のスリットの両側部分が折れ曲がったり湾曲したりする（図１１参照）。このような状態になると筋交い構造体５２の強度は著しく低下する。
【０００６】
本発明は以上のような課題を解決するために成されたものであり、その目的は、従来よりも荷重による変形が起こりにくい筋交い構造体及びそのような筋交い構造体を備える展示台を提供することである。
【課題を解決するための手段】
【０００７】
上記課題を解決するために成された本発明に係る筋交い構造体は、
上面を有する筒状の展示台本体の内部に配置される筋交い構造体であって、
板状部材を折り曲げて形成された、折曲部に凹部及び凸部を有する２つの補助部材から成るとともに、
前記補助部材が、折曲部で互いの凹部と凸部が噛み合うことにより接合されていることを特徴とする。
【０００８】
また、上記課題を解決するために成された本発明に係る展示台は、
a)上面を有する筒状の展示台本体と、
b)前記展示台本体の内部に配置される上記筋交い構造体と、
を備えることを特徴とする。
【０００９】
各補助部材は折曲部で折り曲がっているため自立する。従って、各補助部材を自立させた状態で各補助部材の折曲部を近づけ、互いの凹部と凸部を噛み合わせることにより２つの補助部材が接合される。
【発明の効果】
【００１０】
本発明に係る筋交い構造体及び展示台によれば、筋交い構造体を構成する２つの補助部材の折曲部に立体的な凹部及び凸部を形成し、その凹部及び凸部を噛み合わせることにより２つの補助部材を接合させたので、接合部分を強固にすることができる。従って、筋交い構造体の上端や下端に瞬間的に大きな力や横方向からの力が作用しても、筋交い構造体及びそれを備える展示台は折れ曲がったり湾曲したりしにくい。
【００１１】
従来の筋交い構造体は、上部にスリットを有する平板の上に、下部にスリットを有する平板を持ち上げて、互いのスリットに押し込むことにより組み立てられる。各平板は自立しないため、２枚の平板を組み合わせるまでは各平板を倒れないように支持しておく必要がある。
これに対して、本発明の筋交い構造体は、それぞれが自立する補助部材を組み合わせて構成されているため、組み立て作業が容易になる。また、各補助部材を横方向に移動させて接合させるため、一方の補助部材を他方の上に持ち上げる必要がなく、大型の補助部材であっても、容易に組み立て作業を行うことができる。
【図面の簡単な説明】
【００１２】
【図１】本発明の実施例１に係る展示台の斜視図。
【図２】本発明の実施例１に係る筋交い構造体の分解斜視図。
【図３】本発明の実施例１に係る筋交い構造体の展開図。
【図４】本発明の実施例２に係る筋交い構造体の分解斜視図。
【図５】本発明の実施例２に係る筋交い構造体の展開図。
【図６】切り込みの変形例を示す図。
【図７】本発明の実施例３に係る筋交い構造体の分解斜視図。
【図８】開口の変形例を説明するための図であり、（ａ）は開口の平面図、（ｂ）は凸部の側面図である。
【図９】従来の展示台の斜視図。
【図１０】従来の筋交い構造体の展開図。
【図１１】従来の筋交い構造体の斜視図。
【発明を実施するための形態】
【００１３】
以下、図面に基づき、本発明に係る筋交い構造体及び展示台の実施例について説明する。
【実施例１】
【００１４】
図１に本発明の第１の実施例に係る展示台１０の斜視図を示す。展示台１０は矩形状の天板１１１と矩形状の４枚の側板１１２から成る四角筒状の展示台本体１１と、展示台本体１１の内側に配置された筋交い構造体１２とを備える。天板１１１と側板１１２は個別に作製して接合させてもよく、１枚の板状部材を折り曲げて作製してもよい。展示台本体１１及び筋交い構造体１２は例えば段ボールから構成されている。展示台本体１１及び筋交い構造体１２に用いる材料は展示物の重量や加工の容易さ、コスト等を考慮して決めればよく、段ボールの他、厚紙やプラスチック板等とすることができる。展示台１０の大きさは任意であり、床面に設置するフロアディスプレイ等の大型のものであっても、卓上に置く小型のものであってもよい。
【００１５】
図２に筋交い構造体１２の分解斜視図、図３に展開図を示す。筋交い構造体１２は、板状部材１３A、１４Aを折り曲げて形成された２つの補助部材１３、１４から成る。板状部材１３A、１４Aには、それぞれ折り曲げ線１３７、１４７上に沿って並ぶ複数の開口１３１、１４１が形成されている。板状部材１３A、１４Aを折り曲げ線１３７、１４７に沿って折り曲げたとき、前記開口は凹部１３５、１４５となり、それ以外の部分は凸部１３６、１４６となる。このように、補助部材１３、１４は、各折曲部に互いに噛み合う凹部１３５、１４５と凸部１３６、１４６を有している。
【００１６】
展示台１０を組み立てる際は、まず、補助部材１３、１４を自立させ、各補助部材の折曲部を近づけ、互いの凹部と凸部を噛み合わせて２つの補助部材を接合させることにより、筋交い構造体１２を形成する。続いて、筋交い構造体１２を展示台本体１１の内部に配置することにより、展示台１０が完成する。
【実施例２】
【００１７】
図４に本発明の第２の実施例に係る筋交い構造体２２の分解斜視図、図５に展開図を示す。本実施例の筋交い構造体２２も実施例１の筋交い構造体１２と同様に、板状部材２３A、２４Aを折り曲げて形成された補助部材２３、２４から成り、各補助部材の折曲部に設けられた凹部２３５、２４５と凸部２３６、２４６を噛み合わせることにより形成される。ただし、本実施例の筋交い構造体２２は凹部２３５、２４５の形成方法が実施例１のものと異なる。
【００１８】
図５に示すように、板状部材２３A、２４Aには折り曲げ線２３７、２４７を横断する６本の切り込み２３１、２４１がそれぞれ同じ位置に設けられている。これにより、折り曲げ線２３７、２４７が分断され、隣り合う切り込み２３１、２４１の間のそれぞれに分断部が形成される。
【００１９】
板状部材２３A、２４Aを折り曲げ線２３７、２４７に沿って折り曲げるとき、板状部材２３A、２４Aで互い違いになるように一つ置きの分断部を稜線の内側に押し込む。これにより、その部分に凹部２３５、２４５が形成され、それ以外の部分に凸部２３６、２４６が形成される。このような凹部２３５、２４５と凸部２３６、２４６を噛み合わせることにより補助部材２３、２４が接合される。
【００２０】
板状部材に上記のような切り込みを入れる作業は板状部材の一部を切り取る作業よりも容易である。またこの作業では板状部材の切り取り部がゴミとして発生することがない。押し込まれた部分は屈曲した状態で凹部２３５、２４５の奥に残っており、これにより筋交い構造体２２の強度をより高めることができる。
【００２１】
なお、切り込みの形状は折り曲げ線を横断するものであればよく、上記の他にも様々な変形例が考えられる。図６にその一例を示す。この例では、板状部材２５A、２６Aに折り曲げ線２５７、２６７を横断する各６本の横切り込み２５１、２６１と、折り曲げ線２５７、２６７に沿って隣り合う横切り込み２５１を一つ置きに繋ぐ縦切り込み２５２、２６２が設けられている。縦切り込み２５２、２６２は板状部材２５A、２６Aで互い違いに設けられている。
このような切り込みを有する板状部材２５A、２６Aを用いる場合、まず板状部材２５A、２６A全体を折り曲げ線２５７、２６７で折り曲げて、折曲部に凹部が形成されていない２つの補助部材を形成し、次にそれらを互いの折曲部に押し付ける。これにより、各補助部材の縦切り込み２５２、２６２に他方の補助部材の折曲部の稜線部分が押し込まれ、縦切り込み２５２、２６２に対応する箇所には凹部が形成され、それ以外の箇所には凸部が形成される。それと同時に凹部と凸部が互いに噛み合い、２つの補助部材が接合される。このように、図６に示すような切り込みを各板状部材に設けておけば、筋交い構造体を容易に且つ短時間で組み立てることができる。
【実施例３】
【００２２】
図７に本発明の第３の実施例に係る筋交い構造体３２の分解斜視図を示す。本実施例の筋交い構造体３２も実施例１の筋交い構造体１２と同様に、板状部材３３A、３４Aを折り曲げて形成された２つの補助部材３３、３４から成り、各補助部材の折曲部に設けられた凹部３３５と凸部３３６を噛み合わせることにより形成される。
ただし、本実施例の筋交い構造体３２は、補助部材３３を上下逆にした形状が補助部材３４の形状となる点が異なる。各補助部材の凹部３３５と凸部３３６が折曲部の中心３３３を挟んで対称に設けられている。ここで折曲部の中心３３３とは、折曲部の長さを補助部材３３、３４の上端から下端までの長さ（端部の凹部３３５も含めた長さ）と見なしたときの折曲部の中心のことである。
【００２３】
各凹部３３５の縦方向の幅は本実施例では全て同じであるが、凹部毎に異なってもよい。だだし、その幅が凹部毎に異なっているときでも、各凹部と対称位置の凸部の幅は同じにする。
【００２４】
本実施例の筋交い構造体３２では２つの補助部材を共通化したため、補助部材の加工や管理を効率的に行うことができる。
【００２５】
本発明は上記実施例に限定されるものではなく、本発明の趣旨の範囲で適宜変更が許容される。例えば、実施例１、３で示した開口には、図８（ａ）に示すように、折り曲げ線４７と交わる部分に切り欠き４５を設けてもよい。これにより図８（ｂ）に示すように凸部４６の角がカットされるため、凸部４６を凹部に挿入しやすくなる。同様に、実施例２で示した切り込みの形状を、折り曲げ線と交わる部分で凸部側へ突出するように折れ曲がったものにしてもよく、これにより上記と同じ効果が得られる。
【００２６】
組立後の筋交い構造体の接合部分には、２つの補助部材の凸部が交互に並んでおり、それらの内側には縦方向に貫く空間が形成されている。そこで、その空間に棒状部材を挿入してもよい。その棒状部材を各凸部に内接する太さにすれば、凸部の移動が規制され、補助部材の横ずれを防止することができる。その棒状部材を天板から突出させれば展示台の意匠の一部として利用することができる。
【００２７】
展示台本体は筒状であればよく、四角筒状に限らず他の角筒状や円筒状であってもよい。凹部や凸部の数及び位置は補助部材の大きさや要求される接合強度等に応じて適宜変更することができる。
【符号の説明】
【００２８】
１０、５０…展示台
１１…展示台本体
１１１、５１…天板
１１２…側板
１２、２２、３２、５２…筋交い構造体
１３、１４、２３、２４、２５、２６、３３、３４…補助部材
１３A、１４A、２３A、２４A…板状部材
１３１、１４１…開口
１３５、１４５、２３５、２４５、３３５…凹部
１３６、１４６、２３６、２４６、３３６、４６…凸部
１３７、１４７、２３７、２４７、２５７、２６７、４７…折り曲げ線
２３１、２４１…切り込み
２５１、２６１…横切り込み
２５２、２６２…縦切り込み
３３３…中心
４５…切り欠き
５３、５４…平板
５３１、５４１…スリット
【図１】
2010193976.tif 000003
【図２】
2010193976.tif 000004
【図３】
2010193976.tif 000005
【図４】
2010193976.tif 000006
【図５】
2010193976.tif 000007
【図６】
2010193976.tif 000008
【図７】
2010193976.tif 000009
【図８】
2010193976.tif 000010
【図９】
2010193976.tif 000011
【図１０】
2010193976.tif 000012
【図１１】
2010193976.tif 000013